(57)【特許請求の範囲】
【請求項１】
ディスクが着脱自在に装着されるディスクテーブルと、前記ディスクテーブルを所定方向に回転駆動させるための駆動モータとを備え、前記駆動モータの回転軸に前記ディスクテーブルが装着されたディスク駆動装置において、
前記ディスクテーブルは、前記回転軸に固定された内側テーブル部と、前記内側テーブル部の外周部に固定された外側テーブル部とを有し、前記内側テーブル部は前記外側テーブル部よりも剛性の高い材料であって、かつ前記回転軸の剛性とほぼ同等の材料から形成され、前記ディスクは前記ディスクテーブルの前記外側テーブル部に載置され、前記内側テーブル部と前記外側テーブル部との相互固定部には段部が形成され、
前記回転軸に装着され軸方向に移動自在である調芯部材と、前記回転軸の端部に固定されるヨーク部材と、前記調芯部材と前記ディスクテーブルとの間に介在し前記調芯部材を前記端部側へ向けて弾性的に偏倚するコイルばねとが設けられ、該コイルばねの端部が前記段部に移動規制されることを特徴とするディスク駆動装置。
【請求項２】
前記モータはカップ状のロータ本体を備え、前記ロータ本体の内周面にロータマグネットが装着され、前記ロータ本体が前記ディスクテーブルの前記内側テーブル部に取り付けられていることを特徴とする請求項１に記載のディスク駆動装置。
【請求項３】
前記ディスクテーブルに関連して、回転中のバランスを保つためのボールバランサ機構が設けられ、前記ボールバランサ機構のボール収容部の内周部が前記ディスクテーブルの前記内側テーブル部に取り付けられ、前記ボール収容部の外周部が前記ディスクテーブルの前記外側テーブル部に取り付けられていることを特徴とする請求項１又は２記載のディスク駆動装置。
【請求項４】
前記ディスクテーブルの前記内側テーブル部と前記外側テーブル部との相互固定部は、前記回転軸の回転軸線からの半径距離が前記ディスクテーブルの半径のほぼ半分であることを特徴とする請求項１〜３のいずれかに記載のディスク駆動装置。
【発明の詳細な説明】
【０００１】
【発明の属する技術分野】
本発明は、ＣＤ−ＲＯＭ、ＣＤ−Ｒ、ＣＤ−ＲＷ、ＤＶＤ、ＤＶＤ−ＲＡＭ等の各種ディスクを回転駆動するためのディスク駆動装置に関する。
【０００２】
【従来の技術】
例えばＣＤ−ＲＯＭの如き記録ディスクを回転駆動するためのディスク駆動装置は、所定方向に回転駆動される回転軸を有する駆動モータと、この回転軸に装着されたディスクテーブルを備え、ディスクはディスクテーブルに着脱自在に装着される。この種のディスク駆動装置においては、回転軸が金属材料（例えばステンレス鋼）から形成されるのに対し、製造コストの低減を図るために、ディスクテーブル全体が合成樹脂材料から形成されることがある。
【０００３】
【発明が解決しようとする課題】
このように構成した場合、金属製の回転軸に比して合成樹脂製のディスクテーブルは剛性が比較的弱く、また金属製のディスクテーブルを用いた場合と同じ寸法設定にすると、回転軸とディスクテーブルとの相互固定部の接合面積は、所望の固定強度を充分に確保することができない。それ故に、ディスクテーブルを回転軸に強固に固定しようすると、回転軸とディスクテーブルとの相互固定部における軸線方向の固定用幅をより一層確保しなければならず、この相互固定部の固定用幅が大きくなる。
【０００４】
近年、ディスク駆動装置の分野においても、装置全体の小型化、薄型化の傾向が急速に進んでおり、このような傾向においては、回転軸とディスクテーブルとの相互固定部の軸線方向の固定用幅を充分に確保することが難しく、軸線方向の幅を充分に確保できない場合、回転軸とディスクテーブルとの間の固定強度が弱くなる。ディスクテーブルにはディスクが装着され、ディスク回転時にはディスクテーブルと回転軸との相互固定部に大きな負荷が作用し、特に相対的に剛性が弱いディスクテーブルは、その負荷を持ちこたえることができず、ディスク回転中にディスクテーブルが変形して撓んだり、振動したりする問題が発生し、記録ディスクの情報の読み書きに支障がでることがある。
【０００５】
本発明の目的は、回転軸とディスクテーブルとの相互固定部の軸線方向の幅が小さくても両者を強固に固定することができるとともに、製造コストの低減をも図ることができるディスク駆動装置を提供することである。
【０００６】
【課題を解決するための手段】
本発明は、ディスクが着脱自在に装着されるディスクテーブルと、前記ディスクテーブルを所定方向に回転駆動させるための駆動モータとを備え、前記駆動モータの回転軸に前記ディスクテーブルが装着されたディスク駆動装置において、前記ディスクテーブルは、前記回転軸に固定された内側テーブル部と、前記内側テーブル部の外周部に固定された外側テーブル部とを有し、前記内側テーブル部は前記外側テーブル部よりも剛性の高い材料であって、かつ前記回転軸の剛性とほぼ同等の材料から形成され、前記ディスクは前記ディスクテーブルの前記外側テーブル部に載置されることを特徴とする。
【０００７】
本発明に従えば、ディスク駆動装置のディスクテーブルは内側テーブル部とこの内側テーブル部の外周部に固定された外側テーブル部とを有し、内側テーブル部が駆動モータの回転軸に装着される。内側テーブル部は外側テーブル部よりも剛性の高い材料であって、この回転軸とほぼ同等の剛性を有する材料から形成されており、それ故に、回転軸とこの内側テーブルとの相互固定部の固定強度を高めることができ、これによって、両者の相互固定部の軸線方向の固定用幅を小さくしても充分強固に固定することができ、その結果、モータの全高を小さくすることが可能となる。また、外側テーブル部は内側テーブル部の外周部に装着されるので、内側テーブル部と外側テーブル部との相互固定部は、回転軸の回転軸線より半径方向外方に離れて位置する。それ故に、かかる両者の相互固定部に作用する負荷は、回転軸と内側テーブル部との相互固定部に作用する負荷よりも小さく、外側テーブル部の剛性がある程度弱くてもその負荷を支持するのに充分なる強度を保つことができる。このことは、内側テーブル部と外側テーブル部の相互固定部と、回転軸と内側テーブル部の相互固定部との軸線方向の幅が同じであっても、相互の接合面積を前者の方が大きく確保することができるので、接合面積の大きい分だけ強固に固定することができる。これによって、内側テーブル部と外側テーブル部の相互固定部の軸線方向の幅を大きくする必要がなくなり、装置の薄型化を達成することができる。尚、内側テーブル部は、例えば回転軸がステンレス鋼である場合にステンレス鋼等の金属材料から形成され、また外側テーブル部は、例えば合成樹脂材料から形成される。
【０００８】
また、本発明では、前記モータはカップ状のロータ本体を備え、前記ロータ本体の内周面にロータマグネットが装着され、前記ロータ本体が前記ディスクテーブルの前記内側テーブル部に取り付けられていることを特徴とする。
【０００９】
本発明に従えば、ディスクテーブルの内側テーブル部は剛性が高く、この内側テーブル部にロータ本体が装着される。このように構成すると、両者の相互固定部が回転軸の回転軸線から離れて位置し、また両者の相互固定部の接合面積を大きく確保することができ、これによって、ロータ本体の負荷を支持するのに充分な強度を保つことができ、このことに関連してもモータの全高を小さくすることが可能となる。
【００１０】
また、本発明では、前記ディスクテーブルに関連して、回転中のバランスを保つためのボールバランサ機構が設けられ、前記ボールバランサ機構のボール収容部の内周部が前記ディスクテーブルの前記内側テーブル部に取り付けられ、前記ボール収容部の外周部が前記ディスクテーブルの前記外側テーブル部に取り付けられていることを特徴とする。
【００１１】
本発明に従えば、ボールバランサ機構のボール収容部の内周部が剛性の高い内側テーブル部に、またボール収容部の外周部がその外側テーブル部に装着されるので、半径方向内側に位置する内側テーブル部との相互固定部においては、両者の接合面積が小さくなるが、剛性の高い内側テーブル部と固定されるようになり、また半径方向外側に位置する外側テーブル部との相互固定部においては、剛性の弱い外側テーブル部と固定されるが、両者の接合面積が大きくなり、これによって、両テーブル部における締結強度を高めるようにして、ボールバランサ機構をディスクテーブルに強固に装着することができる。
【００１２】
また、本発明では、前記ディスクテーブルの前記内側テーブル部と前記外側テーブル部との相互固定部は、前記回転軸の回転軸線からの半径距離が前記ディスクテーブルの半径のほぼ半分であることを特徴とする。
【００１３】
本発明に従えば、内側テーブル部と外側テーブル部との相互固定部はディスクテーブルの半径のほぼ半分の位置に位置するので、この相互固定部は回転軸線から充分に離れているとともに、両者の接合面積も充分に確保することができ、従って、回転時この相互固定部に作用する負荷が小さくなり、充分な強度でもって支持することができる。また、ディスクテーブルにおける外側テーブル部が占める体積をある程度大きくでき、この部分を合成樹脂で形成することによってコストの削減を図ることができる。
【００１４】
また、本発明では、前記ディスクテーブルの前記内側テーブル部は金属材料から形成され、前記外側テーブル部は合成樹脂材料から形成されていることを特徴とする。
【００１５】
本発明に従えば、ディスクテーブルの内側テーブル部は金属材料、例えばステンレス鋼、鉄等から形成され、外側テーブル部は合成樹脂材料から形成され、このように形成することによって、内側テーブル部と外側テーブル部とを、また内側テーブル部と回転軸とを充分な強度でもって固定することができるとともに製造コストの低減を図ることができる。また、合成樹脂材料は金属材料に比べて軽量であるので、ディスクの半径方向外側部が軽量になり、回転に伴うイナーシャが小さくなり、ディスクテーブルを含む回転体の起動特性を改善することができる。
【００１６】
更に、本発明では、前記外側テーブル部は前記内側テーブル部の外周面に嵌合結合されていることを特徴とする。
本発明に従えば、外側テーブル部と内側テーブル部とが別体に形成され、これらが相互に嵌合結合されるので、これら２つの部材を高精度に製作して嵌合結合することによって、比較的簡単にかつ比較的安価に高精度のディスクテーブルを製作することができる。
【００１７】
【発明の実施の形態】
以下、添付図面を参照して、本発明に従うディスク駆動装置の実施形態について説明する。
第１の実施形態
まず、図１を参照して、第１の実施形態のディスク駆動装置について説明する。図１は、第１の実施形態のディスク駆動装置の一部を示す断面図であり、このディスク駆動装置はＣＤ−ＲＯＭの如き記録ディスクを回転駆動するためのものである。
【００１８】
図１において、図示のディスク駆動装置の駆動モータ２はモータハウジング４を備え、このモータハウジング４は、ディスク駆動装置のベース部材（図示せず）に取り付けられるハウジング本体６と、このハウジング本体６の略中央部に取り付けられた支持スリーブ８から構成されている。支持スリーブ８の内側にはラジアル用スリーブ軸受１０が装着され、このスリーブ軸受１０を介して回転軸１２が回転自在に支持されている。支持スリーブ８の一端部（図１において下端部）には、その端部を密封するためのプレート部材１４が取り付けられ、このプレート部材１４の内側にスラスト用プレート軸受１６が配設されている。スリーブ軸受１０は潤滑油を含有する多孔質材料から形成された滑り軸受であり、回転軸１２の軸部に作用してラジアル荷重を支持し、またプレート軸受１６は硬質の合成樹脂材料又はセラミック材料から形成された軸受であり、回転軸１２の一端面に作用してスラスト荷重を支持する。スリーブ軸受１０及びプレート軸受１６の組合せに代えて、一対の玉軸受を用いるようにしてもよく、或いは動圧流体軸受を採用するようにしてもよい。
【００１９】
回転軸１２の他端側はスリーブ軸受１０から上方に突出し、この突出端部にディスクテーブル１８が装着され、この形態では、ロータ本体２０が後述するようにしてディスクテーブル１８に装着されている。ディスクテーブル１８には、先端部に係止爪部２１を備える係止部材１９が設けられている。また、支持スリーブ８の他端部外周には拡径爪部２３が設けられている。係止爪部２１と拡径爪部２３は軸線方向（図１において上下方向）に幾分かの間隔をおいて対向し、これらが相互に係合することによって回転軸１２がスリーブ軸受１０から抜けるのが防止される。
【００２０】
ロータ本体２０はカップ状であり、円形状の端壁部２２と、この端壁部２２の外周部からハウジング本体６に向けて延びる周側壁部２４を有し、周側壁部２４の内周面に環状のロータマグネット２６が装着されている。ロータ本体２０は鉄等の磁性材料から形成され、周側壁部２４はロータマグネット２６のヨークとしても機能する。
【００２１】
ロータマグネット２６に対向して半径方向内方にはステータ２８が配設され、ステータ２８は、支持スリーブ８の外周面に装着されたステータコア３０と、ステータコア３０に所要の通りに巻かれたコイル３２から構成されている。かく構成されているので、コイル３２に駆動電流を供給すると、ステータコア３０が磁化され、ロータマグネット２６とステータ２８との相互磁気作用によって、ロータ本体２０、ディスクテーブル１８及び回転軸１２が所定方向に回転駆動される。
【００２２】
次に、ディスクテーブル１８について説明すると、このディスクテーブル１８は、内側テーブル部３４と内側テーブル部３４の外周部に嵌合固定された外側テーブル部３６の二つの部材から構成されている。内側テーブル部３４は外側テーブル部３６よりも剛性の大きい材料であって、かつ回転軸１２の剛性とほぼ同等の材料から形成することが重要である。内側テーブル部３４は、例えば真鍮、鉄、ステンレス鋼等の如き金属材料から形成され、外側テーブル部３６は、例えばポリカーボネイトの如き合成樹脂材料から形成され、内側テーブル部３４は例えば圧入によって、又は圧入と接着剤の併用によって回転軸１２に嵌合固定される。この形態では、回転軸１２がステンレス鋼から形成され、また内側テーブル部３４が回転軸１２と同様にステンレス鋼から形成され、ステンレス鋼同士の圧入接合によって内側テーブル部３４が回転軸１２に固定される。内側テーブル部３４と回転軸１２とは、互いに同等の剛性であるので、この内側テーブル部３４と回転軸１２との接合強度は強固であり、その結果、内側テーブル部３４と回転軸１２との相互固定部の軸線方向（図１において上下方向）の幅を小さくすることができ、これによってモータ２の小型化、薄型化を図ることができる。
【００２３】
外側テーブル部３６は、例えば圧入と接着剤の併用によって内側テーブル部３４の外周面に嵌合固定される。外側テーブル部３６は、製造コストを安価にするために合成樹脂材料（一般的に、金属材料に比して剛性が弱い）から形成されているが、内側テーブル部３４と外側テーブル部３６との相互固定部は回転軸１２の回転軸線４２から半径方向外方に離れている。従って、回転時に両テーブル部３４，３６の相互固定部に作用する負荷が小さくなり、内側テーブル部３４に比べて外側テーブル部３６の剛性が弱くてもこの負荷を充分な強度でもって支持することができる。金属製の回転軸に合成樹脂製のディスクテーブルを嵌合固定した場合、これらの相互固定部は回転軸の回転軸線の近くに位置する（即ち、半径方向内方側に位置する）ようになる。それ故に、容易に理解される如く、回転時に作用する負荷はディスクテーブルと回転軸との相互固定部に大きく作用し、ディスクテーブル全体が合成樹脂であると、剛性が弱いディスクテーブル側にその影響が発生しないように、この相互固定部の軸線方向の幅をある程度大きくしなければこの負荷を支持することができない。これに対し、上述したように金属製の内側テーブル部３４に合成樹脂製の外側テーブル部３６を嵌合固定した場合、これらの相互固定部は回転軸１２の回転軸線から半径方向外方に離れて位置するようになり、それ故に、この相互固定部に作用する負荷は、ディスクテーブル全体が合成樹脂である場合に比して小さくなり、外側テーブル部３６の剛性がある程度弱くてもディスクテーブル１８が変形して撓んだり、振動したりするといった問題を及ぼすことがない。このことは、両テーブル部３４，３６の相互固定部の方が、回転軸とディスクテーブルとの相互固定部よりも接合面積を大きく確保することができ、それだけ接合強度を強固にできることにも起因している。
【００２４】
内側テーブル部３４と外側テーブル部３６との相互固定部は、回転軸１２の回転軸線４２からの半径距離Ｄがディスクテーブル１８の半径のほぼ半分であるのが望ましい。内側テーブル部３４と外側テーブル部３６の相互固定部は、上述した理由からすると回転軸１２の回転軸線４２から半径方向外方により離れているのが望ましいが、かく構成すると、外側テーブル部３６が小さくなり過ぎ、後述のコストメリットが享受できなくなり、それ故に、上述する如くディスクテーブル１８の半径のほぼ半分にするのがよい。また、このようにすると、内側テーブル部３４と外側テーブル部３６との相互固定部に段部３７を容易に形成することができ、この段部３７を後述するコイルばね５６のばね受けとしても利用することができる。
【００２５】
内側テーブル部３４は、中央部に回転軸１２を嵌合する嵌合孔を有する略円板状であり、その外周部下面に、下方に突出する環状突部３８が設けられ、この環状突部３８の外周面にロータ本体２０の端壁部２２が装着され、環状突部３８をかしめることによってこのロータ本体２０が固定され、環状突部３８の内周面に係止部材１９が固定され、更に係止部材１９の内方に拡径爪部２３の逃し部が設けられている。また、外側テーブル部３６は、内側に内側テーブル部３４を嵌合する嵌合孔を有する略環状であり、その外周部上面に、ゴム製の環状摩擦部材４４が配設されている。外側テーブル部３６の下面には、下方に突出する補助突部４８が一体的に設けられている。補助突起４８は環状に設けられ、外側テーブル部３６の強度を補強する。このような補助突部４８を同心状に２つ以上設けるようにしてもよく、或いは、このような補助突部４８に代えて、又はこのような補助突部４８に加えて、半径方向に延びる補助突部を設けるようにしてもよい。
【００２６】
ＣＤ−ＲＯＭの如きディスク４６は、一点鎖線で示すように、ディスクテーブル１８の外側テーブル部３６及び摩擦部材４４の上面に載置され、図示しないクランプ機構と外側テーブル部３６との間に挟持されて着脱自在に装着される。クランプ機構は、このディスク駆動装置とは別に、同装置が取り付けられる実機本体に備えられている。ディスク４６には情報が記録されており、情報読出し手段、例えば光ピックアップ（図示せず）によってディスク４６に記録されたの情報が読み出される。
【００２７】
外側テーブル部３６の下面には、下方に突出する補助突部４８が一体的に設けられている。補助突起４８は環状に設けられ、外側テーブル部３６の強度を補強する。このような補助突部４８を同心状に２つ以上設けるようにしてもよく、或いは、このような補助突部４８に代えて、又はこのような補助突部４８に加えて、半径方向に延びる補助突部を設けるようにしてもよい。
【００２８】
この形態では、更に、回転軸１２の他端部に、チャッキングマグネット５０及び調芯部材５２が装着されている。回転軸１２の他端部には環状のヨーク部材５４が例えば圧入により固定され、このヨーク部材５４の上端肩部にチャッキングマグネット５０が例えば接着剤によって取り付けられている。調芯部材５２は、合成樹脂から形成され、ディスクテーブル１８とヨーク部材５４との間において回転軸１２を被嵌するように装着されている。調芯部材５２は軸線方向に移動自在に回転軸１２に装着され、この調芯部材５２とディスクテーブル１８の内側テーブル３４との間にコイルばね５６が介在されている。このコイルばね５６は、その下端部が内側テーブル部３４と外側テーブル部３６との相互固定部に形成された段部３７に移動規制され、その上端部が調芯部材５２の凹部に移動規制され、この調芯部材５２を上方に向けて（この形態では、ヨーク部材５４に向けて）弾性的に偏倚する。調芯部材５２は、その上面の一部がヨーク部材５４に当接することによって、図１に示す上昇位置に保持され、かかる上昇位置からコイルばね５６の弾性偏倚作用に抗してディスクテーブル１８側に移動することができる。調芯部材５２の上面中央部には収容凹部５８が形成され、上記上昇位置にあるとき、ヨーク部材５４及びチャッキングマグネット５０は調芯部材５２の収容凹部５８内に収容され、調芯部材５２の上面とチャッキングマグネット５４の上面とは実質上同一面を規定する。また、調芯部材５２の外周部上面はディスクテーブル１８の外側テーブル部３６に向けて下方に傾斜して延ており、ディスクテーブル１８に装着されるディスク４６は、調芯部材５２が適宜移動しながらこの傾斜面に案内されて外側テーブル部３６に回転軸線４２とディスク４６の中心とが一致するように載置される。ディスク４６が載置されると、前述のクランプ機構（図示せず）がチャッキングマグネット５４に磁気吸引されるとともに、そのクランプ機構の押圧部によってディスク４６が押圧保持される。
【００２９】
このようなモータ２を備えたディスク駆動装置では、ディスクテーブル１８の内側テーブル部３４と回転軸１２とが強固に固定され、また内側テーブル部３４と外側テーブル部３６との相互固定部が回転軸線４２から半径方向に外方に離れて位置するので、回転中に発生するディスクテーブルの撓み、振動を抑えることができ、ディスク４６を安定して回転駆動することができる。また、内側テーブル部３４と外側テーブル部３６とが別個に形成された後に相互に嵌合固定されるので、部品の段階で内側テーブル部３４及び外側テーブル部３６を高精度に製作することができ、また、これら高精度の部品を相互に嵌合固定することによってディスクテーブル１８が形成されるので、ディスクテーブル１８も高精度に製作することができる。更に、外側テーブル部３６が合成樹脂材料から形成されるので、ディスクテーブル１８を全て金属で形成するのに比して製造コストの低減を図ることができる。この形態では、また、ディスクテーブル１８は、半径距離Ｄの内側が金属材料から、またその外側が合成樹脂材料から形成され、軽量の材料（比重の小さい材料）が半径方向外方に位置するので、回転時に作用するイナーシャが、全て金属材料である場合に比して小さくなり、駆動モータ２の起動特性が向上する。
【００３０】
尚、材料に注目して、内側テーブル部３４に対して合成樹脂材料をインサート成型することによって外側テーブル部３６を形成することも考えられるが、インサート成型は成型機が大掛かりとなること、成型後の歪みによる部品精度が不安定であること等により、結果的に製造コストを低減することにならない。
【００３１】
第２の実施形態
次に、図２を参照して、第２の実施形態のディスク駆動装置について説明する。図２は、第２の実施形態のディスク駆動装置の一部を示す断面図である。この第２の実施形態においては、ディスクテーブルの構造が第１の実施形態のものと相違している。この第２の実施形態において、第１の実施形態と実質上同一のものには同一の参照番号を付し、その説明を省略する。
【００３２】
図２において、図示のディスク駆動装置の駆動モータ２Ａの回転軸１２に取り付けられたディスクテーブル１８Ａは、第１の実施形態と同様に、内側テーブル部３４Ａと内側テーブル部３４Ａの外周部に固定された外側テーブル部３６Ａから構成され、内側テーブル部３４Ａは外側テーブル部３６Ａよりも剛性の大きい材料であって、かつ回転軸１２の剛性とほぼ同等の材料から形成される。この形態においては、内側テーブル部３４は例えば真鍮から形成され、外側テーブル部３６は例えば合成樹脂材料から形成されている。
【００３３】
内側テーブル部３４Ａは、回転軸１２を嵌合する嵌合孔を有する本体部６２と、この本体部６２の外周部から下方に延びる環状垂下部６４とを有し、この本体部６２が回転軸１２に圧入によって嵌合固定されている。内側テーブル部３４Ａの本体部６２の外径は環状垂下部６４の外径より小さく形成され、本体部６２と環状垂下部６４との境に肩部６６が形成されている。外側テーブル部３６Ａは本体部６８と、この本体部６８から半径方向外方に突出する環状載置部７０とを有し、この本体部６８が、肩部６６に当接するようにして内側テーブル部３４Ａの本体部６２の外周面に圧入と接着剤の併用によって固定され、本体部６８の外周部上面は、環状載置部７０に向けて下方に傾斜して延びており、第１の実施形態における調芯部材５２と同様の作用をする。第２の実施形態においても、内側テーブル部３４Ａが剛性の大きい材料から形成されているので、内側テーブル部３４Ａを回転軸１２に強固に固定できる。また、内側テーブル部３４Ａと外側テーブル部３６Ａの相互固定部が回転軸１２の回転軸線から半径方向外方に離れて位置するので、剛性の比較的弱い材料から形成された外側テーブル部３６Ａを、内側テーブル部３４Ａと外側テーブル部３６Ａの相互固定部の軸線方向の幅が小さいものであっても、回転時にディスクテーブル１８Ａに作用する負荷を支持するのに充分な強度でもって内側テーブル部３４Ａの外周面に固定することができる。
【００３４】
この形態では、内側テーブル部３４Ａの本体部６２の上部外周に環状切欠きか形成され、このように切欠きを設けることによって、内側テーブル部３４Ａの本体部６２と外側テーブル部３６Ａの本体部６８との間に環状凹部７２が規定され、この環状凹部７２内にヨーク部材７４及びチャッキングマグネット７６が配設され、チャッキングマグネット７６の上面は内側テーブル部３４Ａの本体部６２の上面と実質上同一の面を規定する。
【００３５】
内側テーブル部３４Ａの環状垂下部６４の下端部には、下方に突出する環状突部７８が設けられ、この環状突部７８の外周面にロータ本体２０の端壁部２２が装着されている。また、外側テーブル部３６Ａの環状載置部７０の外周部上面には、環状の摩擦部材４４が配設され、ＣＤ−ＲＯＭの如きディスク（図示せず）は、外側テーブル部３６Ａの環状載置部７０及び摩擦部材４４の上面に載置され、この装置に設けられたクランプ機構（図示せず）と外側テーブル部３６Ａとの間に挟持されて着脱自在に装着される。
【００３６】
この形態では、更に、ディスクテーブル１８Ａにボールバランサ機構８０が装着されている。ボールバランサ機構８０はリング状のボール収容部材８２を備え、このボール収容部材８２の収容溝８４に複数個のボール８６が収容されている。複数個のボール８６は、ディスクテーブル１８Ａの回転中に回転バランスを保つように収容溝８４内を移動する。ボール収容部材８２は、製造コストの低減を図るために合成樹脂材料から形成され、その内周面は、圧入と接着剤の併用によって、ディスクテーブル１８Ａの内側テーブル部３４Ａの環状垂下部６４の外周面に装着され、その外周部は、接着剤によって外側テーブル部３６Ａの環状載置部７０の下面に装着されている。ボール収容部８２、特にその内周面をこのように装着することによって、内側テーブル部３４Ａとボール収容部材８２との相互固定部が回転軸１２の回転軸線から半径方向外方に離れて位置し、これによってそれら相互固定部の軸線方向の幅が小さい場合でも、内側テーブル部３４Ａと外側テーブル部３６Ａの場合と同様の理由により、ボール収容部材８２を内側テーブル部３４Ａに支持するに充分な強度でもって固定することができる。また、ボール収容部８２は、その内周部が内側テーブル部３４Ａに、またその外周部が外側テーブル部３６Ａに装着されるので、両テーブル部３４Ａ，３６Ｂの締結強度を高めるように作用する。第２の実施形態のその他構成は、上述した第１の実施形態と実質上同一である。
【００３７】
このようなモータ２Ａを備えたディスク駆動装置においても、それの基本的構成が第１の実施形態と実質上同一であるので、上述したと同様の作用効果を達成することができ、またディスクテーブル１８Ａの内側テーブル部３４Ａと回転軸１２とが、また内側テーブル部３４Ａと外側テーブル部３６Ａとが、更にボール収容部８２と内側テーブル部３４Ａとが支持するのに充分な強度でもって固定されるので、回転中に作用する負荷によるディスクテーブルの撓み、振動を抑えることができる。
【００３８】
以上、本発明に従うディスク駆動装置の実施形態について説明したが、本発明はこれら実施形態に限定されるものではなく、本発明の範囲を逸脱することなく種々の変形乃至修正が可能である。
【００３９】
【発明の効果】
本発明の請求項１のディスク駆動装置によれば、ディスクテーブルの内側テーブル部は外側テーブル部よりも剛性の高い材料であって、かつ回転軸とほぼ同等の剛性を有する材料から形成されているので、回転軸とこの内側テーブルとの相互固定部の固定強度を高めることができ、これによって、両者の相互固定部の軸線方向の幅を小さくしても強固に固定することができ、その結果、モータの全高を小さくすることが可能となる。また、外側テーブル部は内側テーブル部の外周部に装着されるので、内側テーブル部と外側テーブル部との相互固定部は、回転軸の回転軸線より半径方向外方に離れて位置し、これによって、この相互固定部における、回転時に作用する負荷を小さくすることができるとともに、相互固定部における接合面積を比較的大きく確保することができ、外側テーブル部の剛性がある程度弱くてもディスクテーブルが変形して撓んだり、振動するといったことを抑えることができる。
さらに、本発明の請求項１のディスク駆動装置によれば、内側テーブル部と外側テーブル部との相互固定部には段部が形成され、回転軸に装着され軸方向に移動自在である調芯部材と、回転軸の端部に固定されるヨーク部材と、調芯部材とディスクテーブルとの間に介在し調芯部材を端部側へ向けて弾性的に偏倚するコイルばねとが設けられ、コイルばねの端部が段部に移動規制される。これによって、内側テーブル部と外側テーブル部の相互固定部の軸線方向の幅を大きくする必要がなくなり、装置の薄型化を達成すること、および、内側テーブル部と外側テーブル部との相互固定部にコイルばねのばね受けとなる段部を容易に形成することができる。
【００４０】
また、本発明の請求項２のディスク駆動装置によれば、ディスクテーブルの内側テーブル部にロータ本体が装着されるので、両者の相互固定部が回転軸の回転軸線から半径方向外方に離れるようになり、従って、両者の相互固定部にロータ本体を支持するに充分な強度を持たすことができる。
【００４１】
また、本発明の請求項３のディスク駆動装置によれば、ディスクテーブルの外側テーブル部と内側テーブル部にボールバランサ機構のボール収容部が装着されるので、両テーブル部の締結強度を高めるようにして、ディスクテーブルにボールバランサ機構を強固に装着することができる。
【００４２】
また、本発明の請求項４のディスク駆動装置によれば、内側テーブル部と外側テーブル部との相互固定部は回転軸線からの半径距離がディスクテーブルの半径のほぼ半分であるので、この相互固定部は回転軸線から半径方向外方に充分に離れて位置し、この相互固定部に回転時に作用する負荷を支持するのに充分な強度を持たせることができる。
【図面の簡単な説明】
【図１】第１の実施形態のディスク駆動装置の要部を示す断面図である。
【図２】第２の実施形態のディスク駆動装置の要部を示す断面図である。
【符号の説明】
２，２Ａ  駆動モータ
４  モータハウジング
１２  回転軸
１８，１８Ａ  ディスクテーブル
２０  ロータ本体
２６  ロータマグネット
２８  ステータ
３４，３４Ａ  内側テーブル部
３６，３６Ａ  外側テーブル部
４６  ディスク
５０，７６  チャッキングマグネット
５２  調芯部材
８０  ボールバランサ機構
【図１】
0004322446.tif 000002
【図２】
0004322446.tif 000003